(57)【要約】【課題】  合格祈願が出来るシステムであって、詳しくは遠方の地にある神社や仏閣でも用意に参拝できて祈願したり、あるいは所望の有名校など必願成就の写真が行えたりするなどが、工夫された合格祈願システムを提供すること。【解決手段】  ホストサーバから依頼者が要望する神社や大学等の建物ａｎｄ／ｏｒ名所をネット検索し、これを静止画像として取り出す行為と、この取り出された静止背景画像に、上記電子カメラで撮えた依頼者の画像を重ね合わせてかつ、依頼ｓｙ画像に重ね合わされた背景画像を電子画像処理の編集プログラムを用いて取り除く行為と、撮影者の自由な選択により、それぞれの画像の大きさ位置関係の修正を電子画像処理の編集プログラムを用いて合成写真を造形してなる。【選択図】  図１
2007316784.tif 000002
【特許請求の範囲】
【請求項１】
依頼者の画像を撮影し、電子画像と撮える電子カメラと、
依頼者が祈願すると考えられる、天満宮の神社や入学を熱望する大学等の建物ａｎｄ／ｏｒ名所が撮影され電子として記録されているホストサーバと、
双方の電子画像を処理する編集プログラムとを有し、
このホストサーバから依頼者が要望する神社や大学等の建物ａｎｄ／ｏｒ名所をネット検索し、これを静止画像として取り出す行為と、
この取り出された静止背景画像に、上記電子カメラで撮えた依頼者の画像を重ね合わせてかつ、依頼者画像に重ね合わされた背景画像を電子画像処理の編集プログラムを用いて取り除く行為と、
撮影者の自由な選択により、それぞれの画像の大きさ位置関係の修正を電子画像処理の編集プログラムを用いて合成写真を造形することを特徴とした祈願システム。
【請求項２】
上記依頼者を撮影する場所は、１箇所に限らず、全国的展開する写真専門チェーン店のような撮影場所であることが特徴の
上記請求項１に示す祈願システム。
【請求項３】
上記撮影場所には代表的なご利益のある神社、仏閣の分祈の祭壇や、入学を希望する大学などの模型や、写真ａｎｄ／ｏｒ電子写真が奉られあるいはゆかりの品々が展示されていることが特徴の
上記請求項１に示す祈願システム。
【請求項４】
上記撮影場所には、お札，お守り，絵馬，お下がり，ミサンガ，その他当地の土産などの販売個所があることが特徴の
上記請求項１に示す祈願システム。
【請求項５】
上記撮影場所では、巫女などによる祈願乃至祈祷が行われるようにしたことが特徴の
上記請求項１に示す祈願システム。
【請求項６】
上記依頼者自身の撮影は、上記撮影場所で行われる他、依頼者自身が撮影し、掛かる電子画像をネット回線により上記ホストサーバに電送され、この画像を同ホストサーバに記録された所望の神社，仏閣，大学などの画像と合成し、この合成写真を完成の後依頼者に手渡し、或いは電子回線により依頼者に転送されることが特徴の
上記請求項１に示す祈願システム。
【発明の詳細な説明】
【技術分野】
【０００１】
本発明は、極簡単な手段で合格祈願や安全祈願や、安産祈願や、必願成就などの祈願が出来、その写真などを入手出来るシステムに関する。
【背景技術】
【０００２】
衆知のように受験など合格祈願なら福岡県太宰府市の大宰府天満宮に、安産祈願なら、東京都の水天宮に、あるいは東京大学に合格したいと考えるなら、所謂東大の赤門を背にした自分の写真を撮って、机に飾り頑張りたいと思う。
しかし、実際問題として北海道などの地方の学生が遠隔の地にある大宰府に赴くことは物理的にも頗る難儀な事である。
【０００３】
そこで本発明は掛かる事項に鑑み、地方に居住する学生であっても、恰もかかる所望の神社に赴いたと同等のご利益を受ける事が出来る当該神社を背景とするなどの、自分の写真を得る事も可能としたシステムを提供する事が出来るようにした事である。
しかし、このような従来技術としては、仮令えばインターネット上のホーム−ページにシステムに加入する全国の神社や寺院を紹介する一方、このホームページに参拝の順序に従ってそれぞれの場面を順番に表示する参拝ページをリンクさせ、而して、ホームページの視聴者がこれらの神社や寺院を参拝する疑似体験ができるようにした発明（特許文献１参照）がなされている程度である。
【０００４】
【特許文献１】特開２００２−１７５３７５明細書
【発明の開示】
【発明が解決しようとする課題】
【０００５】
総じて本発明の目的は、合格祈願が出来るシステムであって、詳しくは遠方の地にある神社や仏閣でも用意に参拝できて祈願したり、あるいは所望の有名校など必願成就の写真が行えたりするなどが、工夫された合格祈願システムを提供する事である。
【０００６】
他に本発明の目的は、依頼者の所望する、掛かる神社仏閣などの建物を背景に、依頼者自身の姿を配した写真を提供できるようにした事である。
【０００７】
他に本発明の目的は、依頼者が要望の神社仏閣などがある所在地に赴く事無く、恰も赴いたのと同様にご利益が得られかつ写真の撮影が可能となった事である。
【０００８】
他に本発明の目的は、上記神社仏閣に対し、依頼者が仮令遠隔の地に居住していても、かかる神社仏閣のお札やお守り、その他お土産品などを購入できるようになった事である。
なお依頼者がどうしても掛かる撮影場所に赴けない事情がある場合でも、上記神社や仏閣など背景とした依頼者自身の写真を入手出来るようになったことである。
【０００９】
上記目的を達成するための本発明の特徴は、依頼者を撮影する電子カメラと、掛かる依頼者が各種の祈願をするために参拝すると考えられる天満宮などの神社や、入学を熱望する大学などの建物や名所その他が撮影された電子画像として、記録されているホストサーバと、上記それぞれの電子画像を処理するプログラムとを有する事である。
【００１０】
他に本発明の特徴は、このホストサーバから依頼者が要望する神社や大学などの建物ａｎｄ／ｏｒ名所をネット検索し、これを静止画像として取り出して、この静止画像に上記電子カメラで撮えた依頼者の画像を重ね合わせかつ、依頼者の画像に重ね合わされた背景画像を電子画像処理の編集プログラムを用いて取り除くなどの画像処理及び画像の大きさ位置関係の修正の画像処理を行い、それぞれの合成写真を造形することにある。
【００１１】
他に上記依頼者を撮影する場所は、１箇所に限る事無く全国的な規模で展開する写真専門チェーンのような撮影場所であることも、本発明の特徴である。
【００１２】
他に本発明の特徴は、上記撮影場所には代表的なご利益のある神社仏閣の分祈の社殿や入学を希望する大学などの写真ａｎｄ／ｏｒ電子写真が奉られ、あるいは所縁の品々が展示されていることである。
【００１３】
他に上記の撮影場所には、その時者などのお札やお守り、絵馬、お下がり、ミサンガ、その他当地の土産を販売する個所があることもその特徴である。
【００１４】
そして上記撮影場所では巫女などによる祈願乃至祈祷が行われるようにしたことも本発明の特徴である。
また、上記依頼者自身の撮影は、上記撮影場所に限らず、依頼者自身が撮影し、掛かる電子画像をネット回線を利用して上記ホストサーバに電送出来るようにしたこともその特徴である。
【００１５】
而してこの場合の同ホストサーバに記録された所望の神社仏閣や大学などの画像と合成し、この合成写真を完成の後、依頼者に電子的に転送または手渡す事もこの発明の特徴である。
【００１６】
以上のように、本発明では、
−１−  依頼者が要望の天満宮等の神社に祈願する時や、あるいは入学を要望する大学に、入学する気持ちを喚起するために赴きたいと考えた場合は、わざわざその地に赴くことなく掛かる神社仏閣や大学の正門などを背景とした写真を入手でき、そのご利益や、恰も所望の大学に入学したような写真を飾って、所謂やる気を奮起し得られるのである。
【００１７】
−２−  また、この依頼者は撮影する場所は全国的にチェーン展開する写真専門店のような場所とした事から、地方といえども容易に近くに撮影場所を見出す事が出来、かつ掛かる撮影場所には神社仏閣の分祈が奉られている事から、同時に所謂お参りすることもできるのである。
【００１８】
−３−  そして上記撮影場所には、お札やお守りや絵馬、その他が各神社仏閣の土産が販売されているから、これらを購入する事によって、当地に赴いたのと同等の満足感やご利益が得られると言うものである。
【００１９】
−４−  更に、上記撮影場所に事情によりどうしても赴けない場合でも、依頼者自身で撮影した自分の画像を所定の被依頼者のホストサーバにネット回線を用いて電送させることにより、上記神社や仏閣あるいは所望の大学を背景として配した写真を、郵送あるいは電子回線で転送してくれる事も可能となったのである。
【００２０】
なお本発明を実施するに当たって、上記サーバには大宰府天満宮，湯島天満宮，北野天満宮，道明寺天満宮，播磨国曽根天満宮，六郷神社などの外、少なくともその地の受験者の受験率が高い小学校や中学校、高校や東京大学や早稲田大学等の有名校の正面写真画像が収められている事が肝要である。
【００２１】
また、家内安全とか、交通安全とか、工事の安全を祈願する安全祈願の合成写真としては、パスポートなど自分自身の写真や家族が集合している写真や、地鎮祭や工事関係者の写真を電子化することで利用する事が可能である。
【００２２】
さらに安産祈願は出産の無事を祈願するために東京の水天宮の写真を背景に合成写真とすることもよく、必願成就祈願では、各種の受験に限らず、結婚や恋愛の成就など２人の写真を上記神社仏閣を背景に合成写真とすることも可能である。
【実施例】
【００２３】
図２で（１）は本発明を実施するための１例の撮影場所であり、ここではその１つを示してあるが、通常は全国的な規模で多数の写真専門チェーン店の片隅に置かれるのが好ましい。
【００２４】
而して同図で（２）はホストサーバ、（３）は電子カメラ、（４）は神社仏閣などの分祈の祭壇、（５）はそれぞれの神社のお札やお守りやその地方の特産品など、区分けされ展示された販売個所である。
【００２５】
なお、このホストサーバ（２）には、全国に点在する神社仏閣や高校や大学、あるいは富士山などの名所で、通常多数の祈願者が訪れる場合の電子写真が多数収納されている。
【００２６】
さて、頗る遠隔地などの事情があって、要望の神社に赴く事が出来ない場合、依頼者（６）は近くの撮影場所（１）に赴き、仮令えば合格祈願のために大宰府天満宮で祈願し、その社殿を背景に写真を得たいと考えたとする。勿論依頼者（６）は図３のように１人に限る事無く、複数人でも良い
【００２７】
そこで依頼者（６）は電子カメラ（３）によって撮影され、その電子画像は端末機（７）に記録される。次いで撮影者（多くは経営者）は依頼者（６）に対し、祈願の要望を聞く事になる。
【００２８】
而してかかる依頼者の要望が大宰府天満宮であった場合、撮影者はホストサーバ（２）を検索し、該当の大宰府天満宮（８）の社殿の電子画像を選び、この依頼者（６）と掛かる天満宮（８）の合成画像をパーソナルコンピュータのような端末機（７）で造形する。
【００２９】
この場合、図３のように天満宮（８）を背景とし、これに対して依頼者（６）の配置や大きさ全体のバランスを考え、内蔵された適当なプログラムを用いてトリミングなどの編集を行うと同時に、図示したように大宰府天満宮（８）の文字（９）や紋（１０）、その他の図形を入れるようにする。
【００３０】
以上の合成作業が完了したら、図８のようにプリントすることで、恰も依頼者（６）が大宰府天満宮（８）を訪れたと同じご利益がある写真が入手出来たのである。
【００３１】
一方上記撮影場所（１）には祭壇（４）が設けられ、巫女（１１）を滞在させておけば、依頼者（６）の要望により祭壇（４）の前で巫女（１１）で祈祷が受けられる。そして同所に設けられたお守りやお札、その他土産物の販売個所で当地の品物を購入できるのである。
【００３２】
この場合、かかる祭壇には大宰府天満宮（８）の分祈を表す文字その他を掲げておく必要がある。
【００３３】
図３のようにまだ受験を希望する依頼者の大学が早稲田大学であれば、ホストサーバ（２）より大隈講堂（１２）を選び、あるいは東京大学であれば東大赤門（１３）を検索して、これに依頼者（６）を重ね合わせた合成写真を造型すれば、依頼者（６）の意に適った写真を提供できると言うものである。
【００３４】
なお参考までに図４は、今人気の高い東京葛飾柴又帝釈天，図５は道明寺天満宮、図６は北野天満宮、図７は東京文京区の湯島天神で、上記同様の手段で図示のような合成写真を得る事が出来る。
【００３５】
今仮に依頼者の事情、あるいは極辺鄙な地に居住していてどうしても上記撮影場所（１）に赴けない場合は、依頼者自身で撮影した画像（１４）をｅ−ｍａｉｌなどで被依頼者の端末機（７）に転送し、同時に祈願の目的祈願場所を書き添える事により、被依頼者は上記と同様の手段によってかかる依頼者にも電子写真の形態、あるいはプリントされた写真の状態で合成写真を依頼者に提供できると言うものである。
【図面の簡単な説明】
【００３６】
【図１】全体のフローチャート図
【図２】撮影場所の見取り図
【図３】合成写真の製造過程を示す説明図
【図４】柴又帝釈天での合成写真参考図
【図５】道明寺天満宮での合成写真参考図
【図６】北野天満宮での合成写真参考図
【図７】湯島天満宮での合成写真参考図
【図８】大宰府天満宮での合成写真参考図
【符号の説明】
【００３７】
１  撮影場所
２  ホストサーバ
３  電子カメラ
４  祭壇
５  販売個所
６  依頼者
７  端末機
８  天満宮
９  文字
１０  紋
１１  巫女
１２  大隈講堂
１３  赤門
１４  画像
【図１】
2007316784.tif 000003
【図２】
2007316784.tif 000004
【図３】
2007316784.tif 000005
【図４】
2007316784.tif 000006
【図５】
2007316784.tif 000007
【図６】
2007316784.tif 000008
【図７】
2007316784.tif 000009
【図８】
2007316784.tif 000010